(57)【要約】【課題】  回路基板を収容する基板収容ケースのコネクタ挿通用開口部と回路基板コネクタとの間に生じる隙間からの不正アクセス行為の防止に有効な配線接続構造を提供する。【解決手段】  所要の電子部品及び基板コネクタを装備した制御回路基板を、収容ケースの内部に内蔵した制御基板アセンブリにおいて、前記収容ケースに形成されたコネクタ挿通用開口部を介して、前記基板コネクタに嵌合接続される配線ケーブルを備えた配線コネクタを具備し、前記配線コネクタには、周囲を囲み込むように接合された椀形のコネクタカバーを囲繞し、上記配線コネクタを前記基板コネクタに嵌合接続させた状態では、前記コネクタカバーの開放端となる拡径端部が前記収容ケースに形成した開口部を取り囲んだ状態で収容ケースの外面に当接し、収容ケースに形成した開口部がコネクタカバーの外部に露出しない構成としてなることを特徴とする制御基板アセンブリの配線接続構造。【選択図】図５
2006130229.tif 000002
【特許請求の範囲】
【請求項１】
所要の電子部品及び基板コネクタを装備した制御回路基板を、収容ケースの内部に内蔵した制御基板アセンブリにおいて、
前記収容ケースに形成されたコネクタ挿通用開口部を介して、前記基板コネクタに嵌合接続される配線ケーブルを備えた配線コネクタを具備し、
前記配線コネクタには、周囲を囲み込むように接合された椀形のコネクタカバーを囲繞し、上記配線コネクタを前記基板コネクタに嵌合接続させた状態では、前記コネクタカバーの開放端となる拡径端部が前記収容ケースに形成した開口部を取り囲んだ状態で収容ケースの外面に当接し、収容ケースに形成した開口部がコネクタカバーの外部に露出しない構成としていることを特徴とする制御基板アセンブリの配線接続構造。
【請求項２】
前記コネクタカバーには、その開放端となる前記拡径端部の周縁に係止手段を備え、配線コネクタを前記基板コネクタに嵌合接続するとき、上記係止手段が、収容ケースに形成した開口部と基板コネクタ周辺との間に生じる間隙に嵌入してコネクタケースの抜け止めが図られるように構成していることを特徴とする請求項１に記載の配線接続構造。
【請求項３】
前記コネクタカバーは、さらに前記係止手段の内側上部に前記基板コネクタに当接するよう形成された突起体を備え、前記配線コネクタを前記基板コネクタに嵌合接続するとき、前記突起体と前記係止手段が一体的に機能して外部からは係止状態を解除できないよう構成していることを特徴とする請求項２に記載の配線接続構造。
【請求項４】
前記コネクタカバーには、その外面に前記拡径端部より突出した係止手段を備え、配線コネクタを前記基板コネクタに嵌合接続するとき、上記係止手段が前記基板収容ケースに形成された嵌合穴に係止し、コネクタケースの抜け止めが図られるように構成していることを特徴とする請求項１に記載の配線接続構造。
【請求項５】
前記係止手段は、突起部であり、該突起部が前記嵌合穴に一度係止すると、外部からは係止状態を解除できないよう構成していることを特徴とする請求項４に記載の配線接続構造。
【発明の詳細な説明】
【技術分野】
【０００１】
本発明は、パチンコ、パチスロなどの遊技機筐体内で用いる不正行為防止等に有用な制御基板アセンブリ用配線接続構造に関する。
【背景技術】
【０００２】
パチンコ、パチスロ（スロットマシン）などの遊技機は、近年では電子部品を数多く使い、しかも遊技機の遊技状態を制御、管理するためにプログラム制御方式を利用している。マイクロプロセッサユニット（ＭＰＵ）を始め、ＩＣ，ＬＳＩなどの電子部品は、回路基板に搭載され用いられている。
【０００３】
例えばパチスロ機であれば、プログラム制御方式は、当たり（ボーナス）状態を決定したり、メダルの払い出し指令を出したり、また遊技者のスタート、ストップなどの操作状態を監視し、それに対応して回胴リールの回転を制御したり、あるいは遊技状態を表示する指令を出すなどパチスロ機の集中的な管理動作を司っている。そのための制御プログラムは、読み出し専用メモリ（ＲＯＭ）に記憶されており、このＲＯＭを取り替えることで新たな機能付加が出来るなど柔軟で経済的なパチスロ機の提供に貢献している。
【０００４】
ところでパチンコ、パチスロなどの射幸性をもつ遊技機においては、以前から「ゴト行為」と呼ばれる不正行為が後を絶たなかったが、遊技機の電子化によって新たに、例えば正規の制御プログラムが入っている読み出し専用メモリ（ＲＯＭ）を不正なプログラムのＲＯＭに差し替えたり、針金などを使って回路基板上の電子部品や印刷配線へアクセスし、アースやショートにより電子回路の誤動作を起こさせたりするなどの不正行為の問題も生じてきた。
【０００５】
そのため遊技機の回路基板を透明な硬質樹脂からなる基板収容ケース（あるいは、収容すべき制御回路基板と基板収容ケースを一体に考える時は「制御基板アセンブリ」と呼ぶ）に収め、これら不正アクセス行為の防止策をとっている。
【０００６】
上記の基板収容ケースは、一般に本体ケースと上蓋ケースからなり、上蓋ケースは開閉可能で、しかも不正開蓋しにくくするため係合機構と複数のかしめ構造によって回路基板を保護する構造になっている。これらの構造に加え、さらに封印シールも併用することによって、不正なアクセスに対しては開放しにくく、また開放された場合はその痕跡が残り発見しやすくし、また検査や保守作業など権限のある者が開放しようとする場合は、作業性よく容易に開けることが可能なようになっている。
【０００７】
【特許文献１】特開２００４−２０９２３８号公報
【特許文献２】特開２００３−３０５２５６号公報
【発明の開示】
【発明が解決しようとする課題】
【０００８】
前述の基板アセンブリに収容された回路基板は、遊技機内の他の装置類と配線ケーブルによって接続されている。そのため基板収容ケースには、配線ケーブルのコネクタ又は基板コネクタを挿通するための開口部が設けられている。前記基板コネクタとコネクタ挿通用開口部の隙間を無くしようとしても、現実には種々の製造上生じる誤差を考慮して収容ケースの開口部とコネクタの間に隙間（クリアランス）を取らざるを得ない。そのためこの隙間から例えば針金などを差し込み、基板回路や電子部品に触れて基板回路の動作を変更し賞を獲得するなど不正行為が行われることがある。
【０００９】
本発明は、前記の不正アクセス行為の防止に有効な制御基板アセンブリ用配線接続構造を提供することを目的としている。
【課題を解決するための手段】
【００１０】
上記の目的を達成するために、請求項１に記載の発明は、所要の電子部品及び基板コネクタを装備した制御回路基板を、収容ケースの内部に内蔵した制御基板アセンブリにおいて、
前記収容ケースに形成されたコネクタ挿通用開口部を介して、前記基板コネクタに嵌合接続される配線ケーブルを備えた配線コネクタを具備し、
前記配線コネクタには、周囲を囲み込むように接合された椀形のコネクタカバーを囲繞し、上記配線コネクタを前記基板コネクタに嵌合接続させた状態では、前記コネクタカバーの開放端となる拡径端部が前記収容ケースに形成した開口部を取り囲んだ状態で収容ケースの外面に当接し、収容ケースに形成した開口部がコネクタカバーの外部に露出しない構成としていることを特徴とする。
【００１１】
請求項２に記載の発明は、請求項１に記載の発明であって、前記コネクタカバーには、その開放端となる前記拡径端部の周縁に係止手段を備え、配線コネクタを前記基板コネクタに嵌合接続するとき、上記係止手段が、収容ケースに形成した開口部と基板コネクタ周辺との間に生じる間隙に嵌入してコネクタケースの抜け止めが図られるように構成していることを特徴とする。
【００１２】
請求項３に記載の発明は、請求項２に記載の発明であって、前記コネクタカバーは、さらに前記係止手段の内側上部に前記基板コネクタに当接するよう形成された突起体を備え、前記配線コネクタを前記基板コネクタに嵌合接続するとき、前記突起体と前記係止手段が一体的に機能して外部からは係止状態を解除できないよう構成していることを特徴とする。
【００１３】
請求項４に記載の発明は、請求項１に記載の発明であって、前記コネクタカバーには、その外面に前記拡径端部より突出した係止手段を備え、配線コネクタを前記基板コネクタに嵌合接続するとき、上記係止手段が前記基板収容ケースに形成された嵌合穴に係止し、コネクタケースの抜け止めが図られるように構成していることを特徴とする
請求項５に記載の発明は、請求項４に記載の発明であって、前記係止手段は、突起部であり、該突起部が前記嵌合穴に一度係止すると、外部からは係止状態を解除できないよう構成していることを特徴とする。
【発明の効果】
【００１４】
本発明に係る配線接続構造によると、請求項１から請求項５までの発明に共通して、基板収容ケースのコネクタ挿通開口部とコネクタ間に存在する隙間を外部に露出させず、回路基板への不正アクセスを防止する効果を有する。さらに上記の効果に加えて、本発明は以下のような効果も有する。
【００１５】
請求項２，４に記載の配線接続構造によれば、当該配線接続構造を基板収容ケースに係止する係止手段を備えることにより、偶然の配線ケーブル引っ張りなどに起因するコネクタ脱抜を防止でき、安全性が高まる。
【００１６】
請求項３，５に記載の配線接続構造によれば、係止手段が外部から係止状態を解除できない機能を有することにより、当該配線接続構造（コネクタカバー）と収容ケースとの間をドライバなどでこじ開ける不正行為に対する防止力が高まり、また、一度コネクタを装着すると係止手段を破壊したり収容ケースを開かなければ配線コネクタは脱抜できないので一層安全性が高まる。
【発明を実施するための最良の形態】
【００１７】
以下、図面を参照して、本発明に係る制御基板アセンブリ用配線接続構造を、スロットマシン（パチスロ機）に適用した場合を例にして説明する。
【００１８】
図１（ａ）は、スロットマシンの代表例の外観斜視図である。符号ＳＭで示すスロットマシンは、周知のように略矩形状の箱体である筐体ＭＢの前面に、前扉ＦＤが側方へ開閉可能に取り付けられている。
【００１９】
前扉ＦＤを構成するフロントパネル部ＦＰには、筐体内に設けられた３つの円筒状の回転リールＲ１,Ｒ２,Ｒ３の図柄を目視するための表示窓ＦＷが設けられている他、スタートレバーＳＬ、停止ボタンＳＢ１，ＳＢ２，ＳＢ３、メダル投入口ＭＤ、メダル払出口ＭＥＸ、メダル受け皿ユニットＴＵなどが設けられている。
【００２０】
図１（ｂ）は、上述の前扉ＦＤを左側方へ開けた状態において、正面右半部の筐体ＭＢの内部を示し、左半部に前扉ＦＤのフロントパネル部ＦＰの裏面を示している。
【００２１】
右半部の筐体ＭＢの内部には、その上部位置に、本発明の接続対象となる主制御回路基板を収容した主制御基板アセンブリＭＢＡが設けられている他, ３つの円筒状の回転リールＲ１，Ｒ２，Ｒ３、電源ユニットＰＷＵ、メダルの貯留・排出をするホッパ装置ＨＰＵなどが配設されている。
【００２２】
また、左半部の前扉フロントパネルＦＰの裏面には、サブ制御回路基板ＳＢＡを設けている他、スピーカＳＰＬ，ＳＰＲ，ＳＰＢ、表示窓ＦＷ、メダル選別装置ＭＳＵなどが配設されている。ここでは図示していないが、主制御基板アセンブリＭＢＡと他の装置類を電気的に接続するため本発明に係る配線接続構造を備えたケーブルも設けられている。
【００２３】
以上、簡単に、本発明に係る主制御基板アセンブリ用配線接続構造が装備されるスロットマシンの実装構造について概略説明したが、次に、本発明に係る配線接続構造の接続対象である主制御基板アセンブリＭＢＡについて説明をする。
【００２４】
図２は主制御基板アセンブリＭＢＡの外観斜視図を示し、また、図３は主制御基板アセンブリＭＢＡの分解斜視図を示す。これら図２，図３から明らかなように主制御基板アセンブリＭＢＡは、主制御回路基板１００とそれを内蔵する一対の基板収容ケースＢＣから構成されている。
【００２５】
主制御回路基板１００は、スロットマシンの動作制御を司る回路基板であり、図３に示すように、マイクロプロセッサ（ＭＰＵ）、ＲＯＭ、ＲＡＭなどの記憶素子、基板コネクタＣＮなどの電子部品が搭載されている。
【００２６】
基板収容ケースＢＣは、相対向して「モナカ合せ」に接合される本体ケース２００と上蓋ケース３００とで構成されており、通常、これらのケースは透明な硬質樹脂材質から成形されている。ここに透明にするのは、収容ケース内部への不正侵入の痕跡等を発見しやすくするためであり、また硬質樹脂を使うのは、破壊や隙間からのこじ開けなど不正行為に対抗するためである。
【００２７】
本体ケース２００には、その周縁上部に複数のヒンジ軸部２０１が、周縁下部に複数の係止アーム２０２が設けられている。また、上蓋ケース３００の側にも、上述のヒンジ軸部２０１及び係止アーム２０２に対応して、周縁上部に複数のヒンジ軸受部３０１が、周縁下部に複数の係止突起３０２が設けられている。
【００２８】
そして三対あるヒンジ軸部２０１とヒンジ軸受部３０１を結合させた状態で、これを支点にして上蓋ケース３００を、本体ケース２００の側に接合するように回動動作することで、上蓋ケース３００と本体ケース２００とが「モナカ合せ」に接合され、両ケースに設けた係止アーム２０２、係止突起部３０２同士を係止動作させることで、主制御回路基板１００が、本体ケース２００と上蓋ケース３００との間にサンドイッチ状に収容された内蔵構成となっている。
【００２９】
このような内蔵構成によると主制御回路基板１００は、これが本体ケース２００と上蓋ケース３００とに覆われて外部に露出しないから主制御回路基板１００自体に対する不正アクセス行為が行われないようになる。
【００３０】
さらに図２及び図３に示す実施例においては、基板の収容ケースを不正に開放できなくする不正行為防止対策として本体ケース２００と上蓋ケース３００との間には、両ケースに跨ってケースの接合時に互いに組み合わされて結合動作される第１の封止機構２１０と第２の封止機構３１０とが設けられている。
【００３１】
これら封止機構２１０，３１０は、前述の「背景技術」で引用した特許文献１（特開２００４−２０９２３８号）に開示されている公知の技術事項であるからその詳細な説明はここに省略するが、当該封止機構は、本体ケース２００と上蓋両ケース３００とに跨って配置した封止部材同士を一旦結合させると、その封止部材をニッパ等で破壊しなければ切り離せない構造になっており、このような構造によって主制御回路基板１００に対する不正なアクセス行為が防止される。
【００３２】
なお、図３の実施例では、第１の封止機構２１０、３１０が基板収容ケースの周縁下部に４対設けられ、また第２の封止機構３２０が基板収容ケースの右側領域に４対設けた例を示しているが、第１の封止機構２１０、３１０のみが基板収容ケースを封止するために使用され、第２の封止機構３２０は、主制御基板アセンブリＭＢＡを筐体に封止するために使用される。
【００３３】
上述の封止機構２１０、３１０による封止動作は、４対のうち、１対の封止機構のみを使うもので、検査時や保守時に際して、封止部材をニッパなどで破壊切断して本体ケース２００と上蓋ケース３００とを開放した場合、次の封止時には、残っている未使用の封止部材を用いて封止動作するものであり、この際、万一の不正開蓋を発見しやすくするために、封印シールを本体ケース２００と上蓋ケース３００とに跨って貼付するという運用をしてもよい。
【００３４】
このような実施例の制御基板アセンブリＭＢＡは、制御回路基板自体に対する不正行為を防止でき、かつ正規の検査時や保守作業時には一対の基板収容ケースを分離して簡易に回路基板に対するアクセスを可能とする、いわば相反する要求を満たすための工夫が様々になされている。
【００３５】
しかし、主制御回路基板１００に装備されている基板コネクタＣＮは、外部装置類と配線接続するため、図４（ａ）（ｂ）に示しているように上蓋ケース３００に形成された開口部３５０を挿通してケースの外に一部露出した形態となっている。このように露出する構成とした場合、上蓋ケースの開口部３５０とこれに挿通される基板コネクタＣＮとの間には、隙間が生じる。
【００３６】
この隙間は、それを無くしようとしても、現実には基板収容ケースの開閉動作を円滑に行うためには必要な間隙である上に、製作上から生じる誤差もあって、上述の隙間（以下コネクタ周辺隙間と呼ぶ。）が生じるのは不可避的であり、この隙間が、主制御回路基板１００に対する不正アクセス行為を許す原因になっている。
【００３７】
本発明は、上述のコネクタ周辺隙間を介して、主制御回路基板１００に対する不正のアクセス行為を防止できるように対策したもので、以下、本発明の実施形態を図５ないし図７を参照して説明する。
【００３８】
図５は、第1の実施形態を示し、同図５（ａ）は、この実施形態に係る配線接続構造の構成を示す分解斜視図、図５（ｂ）はこの配線接続構造が制御基板アセンブリＭＢＡの基板コネクタＣＮに嵌合接続された状態での断面図である。
【００３９】
この実施形態の配線接続構造４００は、図５（ａ）に示しているように、配線ケーブル４１０と配線コネクタ４２０に加え、この配線コネクタ４２０の周辺を囲繞してなる一対の半割コネクタカバー片５１０が椀形に接合された配線コネクタカバー５００から構成されている。
【００４０】
この配線コネクタ４２０を基板コネクタＣＮに嵌合接続した状態では、配線コネクタカバー５００の開放端である拡径端部５１３が上蓋ケース３００の上面に当接した状態になり、この当接状態では配線コネクタカバーの拡径端部５１３が上蓋ケース３００に形成した開口部３５０を取り囲んだ状態になって、前述のコネクタ周辺隙間（上蓋ケースの開口部３５０と基板コネクタＣＮ周辺との間に生じる隙間）が配線コネクタカバー５００の外部に露出しない構成となるようにしてある。
【００４１】
ここに一対の半割コネクタカバー片５１０が椀形に接続される配線コネクタカバー５００は、これが弾性素材で成形され、拡径端部５１３が上蓋ケース３００の上面に当接した状態となる際は、拡径部５１２が撓んで拡径端部５１３が上蓋ケースの上面に密着するようにしてある。
【００４２】
また、配線コネクタカバー５００は、その小口径部５１４を、配線コネクタ４２０の周辺部に接着剤または止めネジ等を用いて接合固定しているもので、小口径部５１４の端部には外方へ突出する凸部５１１が形成してあり、この凸部５１１を利用して配線コネクタ４２０を基板コネクタＣＮに対して脱抜操作することで、配線コネクタ４２０の脱抜操作を容易にしている。
【００４３】
なお、ここでは、配線コネクタカバー５００は一対の半割コネクタカバー片５１０から構成される例を説明してきたが、これに限られず例えば一対の半割コネクタカバー片５１０が初めから一体的に形成されていても差し支えない。また、配線コネクタカバー５００と配線コネクタ４２０との接合は、上述の接着剤またはネジ止めに限らず、その接合方法はいずれの方法であってもよい。
【００４４】
図６（ａ），（ｂ）は、第２の実施形態を示す。この実施形態は、前例の第１の実施形態と対比して、配線コネクタカバー５００の形態の一部に変更を加えて、図６（ａ）及び（ｂ）に示すように、複数の係止突起部５２０が、配線コネクタカバー５００の内側に拡径端部５１３から突き出た形で形成されている。
【００４５】
配線コネクタカバー５００は、第１の実施形態の場合と同じように機能し、上蓋ケース３００に密着しコネクタ周辺隙間を外部に露出しないようにして、不正な侵入を防止する。
【００４６】
上記の係止突起部５２０は、配線コネクタ４２０が基板コネクタＣＮに嵌合接続すると、コネクタ周辺隙間を挿通し、開口部３５０の縁部に係止する。
【００４７】
この係止突起部５２０は、ケーブルを偶然に引っかける等の意図しない引っ張りによる配線コネクタ４２０の脱抜を防ぐ効果を有している。
【００４８】
なお、本配線接続構造４００（配線コネクタ４２０）を脱抜するには、配線コネクタカバー５００の両側面を指でつまみ、内側に力を入れて配線コネクタカバー５００を内側に変形させ、これにより係止突起部５２０も内側に動き上蓋ケース３００との係止を外すことができる。
【００４９】
図７（ａ），（ｂ）は、第２の実施形態の変形例を示す。この変形例は、第２の実施形態に対比して、突起体５３０を、図７（ａ）及び（ｂ）に示すように、配線コネクタカバー５００の係止突起部５２０の内側上部に、突設付加している点に特徴がある。
【００５０】
この突起体５３０が存在するために、例えば配線コネクタカバー５００の両側面を指でつまみ内側に力を入れても、突起体５３０があるため係止突起部５２０が内側へ動かないので、突起部５２０の上蓋ケース３００との係止状態が解除されない。すなわち、この突起体５３０と係止突起部５２０が一体となって、外部からはその係止状態を解除できないいわゆる「はめ殺し」の機能を実現しているのである。
【００５１】
上記の構造により、配線接続構造４００（あるいは配線コネクタ４２０）を基板コネクタＣＮに一度嵌合接続すると、配線接続構造４００は上蓋ケース３００に係止され、この係止状態を解除するには係止突起部５２０等を破壊するか、又は上蓋ケース３００を開き内側から係止突起部５２０を操作しなければならないので、配線ケーブルの不正脱抜防止の効果が加わる。また、この「はめ殺し」効果と係止突起部５２０の上蓋ケース３００係止により、上蓋ケース３００と配線コネクタカバー５００の間をこじ開けるのが一層困難になる。
【００５２】
次に、図８を参照して、第３の実施形態を説明する。図８（ａ）は、本実施形態に係る配線接続構造４００の分解斜視図、図８（ｂ）は、本配線接続構造４００（あるいは配線コネクタ４２０）が、基板コネクタＣＮに装着された状態での断面図を示している。
【００５３】
この実施形態では、突起部５４０が配線コネクタカバー５００の外側に一体的に設けられ、上蓋ケース３００には嵌合穴３７０が前記突起部５４０に嵌合するよう設けられている。その他の点は第1の実施形態と同じである。
【００５４】
突起部５４０は、図８に示すように、１対の係止突起部が互いに背向して配置された構造を有し、一度嵌合穴３７０に嵌合するとその状態を外部からは解除できないいわゆる「はめ殺し」機能を備える。これにより、本配線接続構造４００が基板コネクタＣＮに装着されると、前記突起部５４０は前記嵌合穴３７０に嵌合し、配線接続構造４００は上蓋ケース３００に係止され、外部からはその係止状態を解除できない。
【００５５】
上記の構造によって、本実施形態はコネクタ周辺隙間を外部に露出させない効果に加え、配線接続構造４００を基板コネクタＣＮに一度嵌合（接続）すると、この係止状態を解除するには突起部５４０を破壊するか、又は上蓋ケース３００を開き内側から突起部５４０を操作しなければならないため、配線ケーブルの不正脱抜防止の効果が加わる。
【００５６】
なお、ここでは、配線コネクタカバー５００に係止突起部５２０がない場合を示した。この場合は、コネクタ周辺隙間が狭く係止突起部５２０が挿通不可能なような場合にも、確実にいわゆる「はめ殺し」の効果が発揮できる。もちろん配線コネクタカバー５００が係止突起部５２０を備えていてもよい。この場合は、上蓋ケース３００と配線コネクタカバー５００の間をこじ開けるのがより困難であるという第2の実施形態の変形例と同じ特徴も有することになる。
【００５７】
以上、本発明に係る配線接続構造について、実施形態１から実施形態３として説明してきた。本配線接続構造は基板コネクタＣＮ周辺の隙間を外部に露出させないようにして不正行為を防止するという基本的な効果に加え、さらに実施形態２では、配線接続構造ケーブルの意図しない引っ張りによる配線接続構造コネクタの脱抜が防止できる効果があり、また、実施形態２の変形例や実施形態３では、破壊などによらなければ配線接続構造の不正脱抜はできないので、より高いセキュリティ効果が期待できる。
【００５８】
ここでは不正行為防止のために配線接続構造をスロットマシン（パチスロ機）に適用した例について説明をしてきたが、もちろん本発明の適用はこれに限られるものではなく、パチンコ機など不正行為防止が必要となる幅広い遊技機に適用可能である。また、基板アセンブリの構造もここで説明した構造に限定されるものではなく、不正行為防止のためにコネクタ挿通用の隙間を外部に露出させないという目的であれば、幅広い構造に適用可能である。
【図面の簡単な説明】
【００５９】
【図１】（ａ）本発明に係るスロットマシンの外観斜視図。（ｂ）本発明に係るスロットマシンの前扉を開いた状態での内部正面図。
【図２】本発明に係る実施形態による主制御基板アセンブリの外観斜視図。
【図３】本発明に係る実施形態による主制御基板アセンブリの分解斜視図。
【図４】基板コネクタと基板収容ケースの開口部付近の外観図及び断面図。
【図５】本発明に係る第１の実施形態による配線コネクタカバーの分解斜視図及びコネクタ装着状態での断面図。
【図６】本発明に係る第２の実施形態による配線コネクタカバーの分解斜視図及びその断面図。
【図７】第２の実施形態の変形例による配線コネクタカバーの分解斜視図及びその断面図。
【図８】本発明に係る第３の実施形態による配線コネクタカバーの分解斜視図及びその断面図。
【符号の説明】
【００６０】
ＳＭ…スロットマシン、
ＦＰ…フロントパネル部、    ＭＢ…筐体、
Ｒ１，Ｒ２，Ｒ３…回転リール、    ＦＷ…表示窓、
ＳＬ…スタートレバー、    ＳＢ１，ＳＢ２，ＳＢ３…停止ボタン、
ＭＤ…メダル投入口、    ＭＥＸ…メダル払出口、
ＴＵ…メダル受け皿ユニット、
ＭＢＡ…主制御基板アセンブリ、    ＰＷＵ…電源ユニット、
ＨＰＵ…ホッパ装置、    ＳＢＡ…サブ制御回路基板、
ＳＰＬ，ＳＰＲ，ＳＰＢ…スピーカ、    ＭＳＵ…メダル選別装置、
ＢＣ…基板収容ケース、
ＣＮ…基板コネクタ、
１００…主制御回路基板、
２００…本体ケース、
２０１…本体ケースの係合構造（ヒンジ軸受部）、
３００…上蓋ケース、
３０１…上蓋ケースの係合構造（ヒンジ軸部）、
３５０…上蓋ケースの開口部（基板コネクタ挿通用開口部）、
３７０…上蓋ケースの嵌合穴、
４００…配線接続構造、
４１０…配線ケーブル、
４２０…配線コネクタ、
５００…配線コネクタカバー、
５１０…配線コネクタカバー片、
５１１…脱抜用凸部、
５１２…配線コネクタカバー拡径部、
５１３…配線コネクタカバー拡径端部、
５２０…係止突起部、
５３０…突起体、
５４０…突起部
【図１】
2006130229.tif 000003
【図２】
2006130229.tif 000004
【図３】
2006130229.tif 000005
【図４】
2006130229.tif 000006
【図５】
2006130229.tif 000007
【図６】
2006130229.tif 000008
【図７】
2006130229.tif 000009
【図８】
2006130229.tif 000010